(57)【要約】【課題】プローブの針が損壊した場合に、作業者がプローブ本体を測定装置から直接に引き出し可能であり、測定装置を分解する必要がなく、速やかな交換が可能なプローブ。【解決手段】中空のチューブ形状を呈し、その内部に弾性部材（３０）が設けてあるプローブ本体（１０）と、前記プローブ本体（１０）に挿入されて一端が前記弾性部材（３０）に当接することによって前記プローブ本体（１０）の内部を移動自在な針（４０）と、中空のチューブ形状を呈し、前記プローブ本体（１０）を嵌めるスリーブ（５０）とを有し、前記スリーブ（５０）は、前記プローブ本体（１０）を保持可能な内壁（５３）を有し、一端には前記針（４０）を挿通可能な貫通孔（５２）が開設され、他端には前記プローブ本体（１０）を挿入又は抜き出すための開口（５１）が開設されている。【選択図】図１
0003126899.tif 000002
【実用新案登録請求の範囲】
【請求項１】
中空のチューブ形状を呈し、その内部に弾性部材（３０）が設けてあるプローブ本体（１０）と、
前記プローブ本体（１０）に挿入されて一端が前記弾性部材（３０）に当接することによって前記プローブ本体（１０）の内部を移動自在な針（４０）と、
中空のチューブ形状を呈し、前記プローブ本体（１０）を嵌めるスリーブ（５０）とを有し、
前記スリーブ（５０）は、前記プローブ本体（１０）を保持可能な内壁（５３）を有し、一端には前記針（４０）を挿通可能な貫通孔（５２）が開設され、他端には前記プローブ本体（１０）を挿入又は抜き出すための開口（５１）が開設されていること
を特徴とするプローブ。
【請求項２】
前記スリーブ（５０）は、測定装置（６０）の内部に配置して固定され、該固定状態において、前記プローブ本体（１０）は、前記スリーブ（５０）及び前記測定装置（６０）とから離脱可能であることを特徴とする請求項１に記載のプローブ。
【請求項３】
前記貫通孔（５２）の内径は前記プローブ本体（１０）の外径よりも小さいことを特徴とする請求項１又は請求項２に記載のプローブ。
【考案の詳細な説明】
【技術分野】
【０００１】
本考案は、測定するためのプローブに係り、特に、プローブ本体の外周にプローブを保持するためのスリーブを設けることにより、速やかに交換可能なプローブに関するものである。
【背景技術】
【０００２】
プローブは、作製された各種の電子素子および回路板を測定するためのものであり、例えば、測定装置に取り付けるとともに電子素子または回路板等の被測定物に接触させて測定を行い、その測定結果がケーブルを経由してコンピュータに伝送されて、被測定物の良否を判断するものである。
【０００３】
次に、台湾特許Ｍ２７１１５９号において提案された「測定装置」を参照する。これは、従来のプローブと測定装置との構造の改良提案であり、主に、測定装置の台座には、針ボードと、挟みボードと、押上げボードと、プローブとが設けてある。前記針ボードには、被測定物（例えばプリント回路板）の被測定点に対応するピンホールが設けてあり、前記プローブは、プローブ本体と、バネと、針とから構成されたものである。前記プローブ本体は、針ボードにあるピンホールに挿入され、一端には信号をコンピュータに伝送するためのケーブルが設けてあり、バネの弾性力により、針が中空のプローブ本体内に弾性的に伸縮可能であり、そのため、前記プローブが針ボードの上で位置決めすることができるようになっている。前記挟みボードと押上げボードとには、前記針ボードにあるピンホールに対応する貫通孔が開設してある。なお、前記針が挟みボードと押上げボードとにある貫通孔を挿通して押上げボードから突出する。被測定物を前記押上げボードの上に載置して、測定装置によって被測定物の被測定点をプローブの針に接触させ、電気信号がプローブ本体の後端に接続されたケーブルを経由して測定機器に伝送されて測定作業を実施する。
【０００４】
しかしながら、前記従来の測定装置に組み付けられるプローブでは、長期間にわたる使用によって針が損壊し易い。また、破損した場合にはプローブ全体を交換することが必要であり、このときのプローブの交換プロセスとしては、測定装置の台座を分解して、損壊されたプローブを探してプローブを取り除き、新品のプローブを位置決めた後にカバーを取り付ける、という工程が必要であった。そのため、従来のプローブ及び測定装置とによれば、プローブの交換作業は極めて不便であり、ひいては測定作業の作業効率が極めて低かった。
【考案の開示】
【考案が解決しようとする課題】
【０００５】
本考案は、前記のような問題に鑑みてなされたものであり、プローブの針が損壊したときに、作業者がプローブ本体を測定装置から直接に引き出すことが可能であり、測定装置を分解することなく、プローブを速やかに交換可能なプローブを提供することを目的とする。
【課題を解決するための手段】
【０００６】
上記目的を達成するためになされた本考案は、中空のチューブ形状を呈し、その内部に弾性部材（３０）が設けてあるプローブ本体（１０）と、前記プローブ本体（１０）に挿入されて一端が前記弾性部材（３０）に当接することによって前記プローブ本体（１０）の内部を移動自在な針（４０）と、中空のチューブ形状を呈し、前記プローブ本体（１０）を嵌めるスリーブ（５０）とを有し、前記スリーブ（５０）は、前記プローブ本体（１０）を保持可能な内壁（５３）を有し、一端には前記針（４０）を挿通可能な貫通孔（５２）が開設され、他端には前記プローブ本体（１０）を挿入又は抜き出すための開口（５１）が開設されていることを要旨としている。
【０００７】
また、本考案では、前記スリーブ（５０）は、測定装置（６０）の内部に配置して固定され、該固定状態において、前記プローブ本体（１０）は、前記スリーブ（５０）及び前記測定装置（６０）とから離脱可能であることを要旨としている。
【０００８】
また、本考案では、前記貫通孔（５２）の内径は前記プローブ本体（１０）の外径よりも小さいことを要旨としている。
【考案の効果】
【０００９】
本考案のプローブによれば、プローブの針が損壊した場合に、作業者がプローブ本体を測定装置から直接に引き出すことが可能であるため、測定装置を分解する必要がなくなり、プローブを速やかに交換することができる。
【考案を実施するための最良の形態】
【００１０】
以下、添付図面を参照して本考案の好適な実施の形態を詳細に説明する。
【００１１】
まず、図１を参照して説明する。図１は、本考案によるプローブの全体斜視図である。本考案のプローブは、図１に示すように、プローブ本体１０と、針（ピン）４０と、スリーブ５０とから構成される。前記プローブ本体１０は、中空のチューブ形状を呈し、一端に固定ロッド２０が一つ設けてある。プローブ本体１０及び固定ロッド２０には、固定ロッド２０の取付け位置に応じて位置決め溝１１，２１が設けてあり、前記位置決め溝１１，２１により固定ロッド２０が前記プローブ本体１０の端部に位置決めされる。図２に示すように、プローブ本体１０の内部には一つ以上の弾性部材３０が設けてある。また、プローブ本体１０の他端には、前記プローブ本体１０に挿入される針４０が設けられ、且つ、針４０が弾性部材３０に当接していることによって、前記弾性部材３０の弾性力により針４０がプローブ本体１０の内部を長手方向に移動自在となっている。また、本実施の形態では、前記プローブ本体１０を嵌めるスリーブ５０が設けられ、前記スリーブ５０は、中空のチューブ形状を呈し、前記プローブ本体１０を保持可能な内壁５３を有している。図３に示すように、スリーブ５０の一端には、前記針４０を挿通可能な貫通孔５２が開設されており、前記貫通孔５２の内径は前記プローブ本体１０の外径よりも小さく、プローブ本体１０が貫通孔５２を挿通できないようになっている。また、前記スリーブ５０の他端には、前記プローブ本体１０を挿入又は抜き出すための開口５１が開設されている。
【００１２】
次に、図４を参照して説明する。図４は、本考案によるプローブを測定装置に取り付けた状態を示す断面図である。図４に示すように、本考案のプローブが測定装置６０に配置され、前記測定装置６０の内部には固定ゾーン６１が一つ設けてあり、前記固定ゾーン６１によりスリーブ５０が測定装置６０から離脱できないようになっている。前記プローブ本体１０は、スリーブ５０に嵌められ、その針４０が貫通孔５２を挿通して測定装置６０から突出するようになっている。図５に示すように、被測定物７０を測定する際に、前記針４０を被測定物７０に接触させていくと、被測定物７０による押圧力によって弾性部材３０が内部へ後退するように弾性変形し、これに伴って針４０が移動する。一方、前記スリーブ５０の内壁５３は、前記プローブ本体１０を保持可能な締めつけ強度を実現できる内径で設定されており、前記プローブ本体１０は被測定物７０の押圧力によってスリーブ５０から離脱することがない。このように、被測定物７０を測定することができる。
また、長時間の測定により針１０が損壊した場合の交換作業について説明する。測定装置６０から突出するプローブ本体１０の上端部に、スリーブ５０の締め付け力よりも強い上方向への引っ張り力を加えることにより、プローブ本体１０は、スリーブ５０の内壁５３による保持状態が解除され、プローブ本体１０はスリーブ５０と測定装置６０とから引き出すことができる。損壊したプローブ本体１０をスリーブ５０及び測定装置６０とから引き出した後、新品の針４０を備えたプローブ本体１０を測定装置６０の外部から前記測定装置６０の内部に固定されたスリーブ５０に直接に挿入することにより、プローブの交換作業が完成する。この結果、本考案のプローブによれば、プローブの針が損壊したときに、作業者がプローブ本体１０を測定装置６０から直接に引き出すことが可能であり、測定装置を分解する必要がないため、プローブの速やかな交換を実現することができる。
【００１３】
上記の通り、種々の実施の形態および変形例を説明したが、本考案はこれらの内容に限定されるものではない。本考案の技術的思想の範囲内で考えられるその他の態様も本考案の範囲内に含まれる。
【図面の簡単な説明】
【００１４】
【図１】本考案によるプローブの全体斜視図である。
【図２】本考案によるプローブの分解斜視図である。
【図３】本考案によるプローブの断面図である。
【図４】本考案によるプローブを測定装置に取り付けた状態を示す断面図である。
【図５】本考案によるプローブにおいて針が移動している状態を示す断面図である。
【符号の説明】
【００１５】
１０          プローブ本体
２０          固定ロッド
１１，２１    位置決め溝
３０          弾性部材
４０          針
５０          スリーブ
５１          開口
５２          貫通孔
５３          内壁
６０          測定装置
６１          固定ゾーン
７０          被測定物
【図１】
0003126899.tif 000003
【図２】
0003126899.tif 000004
【図３】
0003126899.tif 000005
【図４】
0003126899.tif 000006
【図５】
0003126899.tif 000007